(57)【要約】【課題】本発明は、簡易店舗などに用いられる組立式建屋を組立てるにあたって、その作業の効率化を高めた組立式建屋の構造を提供することを課題とするものである。【解決手段】設置面に対して左右両脚を嵩上げされた土台と、前記土台を構成する土台部材の所定の箇所に柱取付台座を介して立設される複数の柱部材と、天井から分離可能な天井パネルと、天井パネルから着脱可能な天井照明装置とからなる。【選択図】図５
2008007970.tif 000002
【特許請求の範囲】
【請求項１】
設置面に対して左右両脚を嵩上げされた土台と、前記土台を構成する土台部材の所定の箇所に柱取付台座を介して立設される複数の柱部材と、天井から分離可能な天井パネルと、天井パネルから着脱可能な天井照明装置とからなることを特徴とする組立式建屋の構造。
【請求項２】
設置面に対して左右両脚を嵩上げされた土台が設けられていることを特徴とする組立式建屋の構造。
【請求項３】
土台を構成する土台部材の所定箇所に柱取付台座を設け、前記柱取付台座には、前記土台部材の接合と複数の柱部材の立設を可能とし、連結することを特徴とする組立式建屋の構造。
【請求項４】
柱部材の内側下部近傍に平型の支持板を設け、柱取付台座上面に立設可能にしたことを特徴とする組立式建屋の構造。
【請求項５】
前記柱取付台座の側面および上面の所定の箇所には、土台部材の接合および柱部材を立設するためのボルト孔が設けられていることを特徴とする請求項１、３または４のいずれか１つに記載の組立式建屋の構造。
【請求項６】
前記支持板を前記柱取付台座上面と前記土台部材上面一部に当設させ、支持板上面の所定の箇所には、支持板が柱取付台座と土台部材に接合可能なようにボルト孔が設けられていることを特徴とする請求項４または５に記載の組立式建屋の構造。
【請求項７】
前記支持板の端辺には、前記柱取付台座上面に係止可能な下部固定片が設けられていることを特徴とする請求項４または６に記載の組立式建屋の構造。
【請求項８】
天井パネルと、前記天井パネルから着脱可能な天井照明装置とからなることを特徴とする組立式建屋の構造。
【請求項９】
前記天井パネルは、前記天井照明装置が設置可能なように平面形状方形型をした浅い盆状からなることを特徴とする請求項１または８に記載の組立式建屋の構造。
【請求項１０】
前記天井パネルを複数並列して組合わせることで天井を形成したことを特徴とする請求項８または９に記載の組立式建屋の構造。
【請求項１１】
複数の前記土台を土台連結具を介して隣接するように連結し、１つの土台システムを形成したことを特徴とする請求項１または２に記載の組立式建屋の構造。
【請求項１２】
前記土台連結具は、方形状の平板の端辺に沿って断面形状が略逆凹字状になるようなニ脚を備え、平板の上面から下面にかけてボルト孔が設けられていることを特徴とする請求項１１に記載の組立式建屋の構造。
【請求項１３】
前記土台連結具は、方形状の平板の四隅に凸状の四脚を備え、平板の上面から下面にかけてボルト孔が設けられていることを特徴とする請求項１１に記載の組立式建屋の構造。
【請求項１４】
前記土台システムは、複数の土台を互い隣接するように四方に敷設してなり、これら土台の連結のうち、２つの土台の連結については、方形状の平板の端辺に沿って断面形状が略逆凹字状になるようなニ脚を備え、平板の上面から下面にかけてボルト孔が設けられている前記土台連結具のニ脚の間に、隣接してなる土台部分を上方向から跨嵌し、４つの土台の連結については、方形状の平板の四隅に凸状の四脚を備え、平板の上面から下面にかけてボルト孔が設けられている前記土台連結具の四脚の間に、４つの土台の四隅を対面させることで十字状を形成してなる土台部分を上方向から四方に跨嵌した後、土台連結具の上面よりボルトを通し土台の上面を貫通させナットによって固定することで、複数の土台が接合されることを特徴とする請求項１１に記載の組立式建屋の構造。
【発明の詳細な説明】
【技術分野】
【０００１】
本発明は、簡易店舗などに用いられる組立式建屋の構造、土台構造および天井構造に関する。
【背景技術】
【０００２】
簡易店舗などに用いられる組立式建屋の施工や撤去期間は比較的短期間に設定されている場合が多く、建屋施工業者にとって組立式建屋の構造は、作業の効率化を図る上で最も重要なファクターとなる。
【０００３】
現在、簡易店舗の設置環境は、設置面を略凸状や蒲鉾状にして雨水等の排水効果を高めたものなど、簡易店舗の設置環境は多様化している。
【０００４】
このような設置環境において従来工法をそのまま適用した場合、建屋を設置することは可能であっても、作業効率の観点からは問題がある。
【０００５】
例えば、特許文献１では、平坦で水平な設置面に設置されることを前提にした建屋が記載されているが、上述したように設置面がそのような環境に無い場合には、土台を水平に保つため、土台の両脚を嵩上げすることになる。
【０００６】
この嵩上げ調整には多くのスペーサーが必要となり、また、嵩上げ調整後には、このスペース部分に詰めるモルタルが大量に必要なことからコスト的にも、また作業効率的にも問題がある。
【０００７】
また、土台と柱部材との接合には、組立の効率化及び簡易化を図るために、柱部材に一体形成された連結具を介して直接土台部材と接合するものもみられる。
【０００８】
しかしこの接合方法では、柱部材に土台部材を直接固定しているため、土台部材に設けられているボルト孔の大きさや位置、または、柱部材の立て方によっては垂直・水平方向への微調整等が必要となり、これら調整作業に多くの時間を費やすことになる。
【０００９】
更に、土台の連結については、２つの土台を連結する場合、従来工法では、一方の土台（部材）の側面から他方の土台（部材）の側面に貫通するようにボルトを通しナット締めして、これら２つの土台を連結する。また、４つの土台を四方に隣接するように連結する場合には、土台１つ１つ、土台側面から計４箇所のボルト締めをして、４つの土台を連結することが一般的であった。
【００１０】
つまり、従来工法では同時に４つの土台を連結することは不可能であり、また、ボルト孔の位置や大きさによっては、土台間に若干の高さのズレが生じることがあるため、その調整作業に時間と手間が掛かっていた。
【００１１】
従来簡易店舗に用いられた天井構造は、屋根を兼ねた発砲パネルと天井用照明器具とを一体的に形成したものが多く、これらはその剛生を確保するために発砲パネルを使用し、そのパネルの下側に天井照明器具が取付けられているため、天井自体の重量が嵩み、組立作業に人手が掛かると共に、天井自体にも厚みがあるため店内の天井は低く心理的な圧迫感があった。
【特許文献１】特開平６−２７２３１７号公報
【発明の開示】
【発明が解決しようとする課題】
【００１２】
本発明は、上記（背景技術）に掲げた問題点を解消すべく、簡易店舗などに用いられる組立式建屋を組立てるにあたって、その作業の効率化を高めた柱構造、土台構造及び天井構造からなる組立式建屋の構造を提供することを課題とするものである。
【課題を解決するための手段】
【００１３】
上記課題を解決するために、請求項１の発明は、設置面に対して左右両脚を嵩上げされた土台と、前記土台を構成する土台部材の所定の箇所に柱取付台座を介して立設される複数の柱部材と、天井から分離可能な天井パネルと、天井パネルから着脱可能な天井照明装置とからなるものである。
【００１４】
請求項２の発明は、設置面に対して左右両脚を嵩上げされた土台が設けられているものである。
【００１５】
請求項３の発明は、土台を構成する土台部材の所定箇所に柱取付台座を設け、前記柱取付台座には、前記土台部材の接合と複数の柱部材の立設を可能とし、連結するものである。
【００１６】
請求項４の発明は、柱部材の内側下部近傍に平型の支持板を設け、柱取付台座上面に立設可能にしたものである。
【００１７】
請求項５の発明は、前記柱取付台座の側面および上面の所定の箇所に、土台部材の接合および柱部材を立設するためのボルト孔を設けたものである。
【００１８】
請求項６の発明は、前記支持板を前記柱取付台座上面と前記土台部材上面一部に当設させ、支持板上面の所定の箇所に、支持板が柱取付台座と土台部材に接合可能なようにボルト孔を設けたものである。
【００１９】
請求項７の発明は、前記支持板の端辺には、前記柱取付台座上面に係止可能な下部固定片が設けられているものである。
【００２０】
請求項８の発明は、天井パネルと、前記天井パネルから着脱可能な天井照明装置とからなるものである。
【００２１】
請求項９の発明は、前記天井パネルは、前記天井照明装置が設置可能なように平面形状方形型をした浅い盆状からなるものである。
【００２２】
請求項１０の発明は、前記天井パネルを複数並列して組合わせることで天井を形成したものである。
【００２３】
請求項１１の発明は、複数の前記土台を土台連結具を介して隣接するように連結し、１つの土台システムを形成したものである。
【００２４】
請求項１２の発明は、前記土台連結具は、方形状の平板の端辺に沿って断面形状が略逆凹字状になるようなニ脚を備え、平板の上面から下面にかけてボルト孔を設けたものである。
【００２５】
請求項１３の発明は、前記土台連結具は、方形状の平板の四隅に凸状の四脚を備え、平板の上面から下面にかけてボルト孔を設けたものである。
【００２６】
請求項１４の発明は、前記土台システムは、複数の土台を互い隣接するように四方に敷設してなり、これら土台の連結のうち、２つの土台の連結については、方形状の平板の端辺に沿って断面形状が略逆凹字状になるようなニ脚を備え、平板の上面から下面にかけてボルト孔が設けられている前記土台連結具のニ脚の間に、隣接してなる土台部分を上方向から跨嵌し、４つの土台の連結については、方形状の平板の四隅に凸状の四脚を備え、平板の上面から下面にかけてボルト孔が設けられている前記土台連結具の四脚の間に、４つの土台の四隅を対面させることで十字状を形成してなる土台部分を上方向から四方に跨嵌した後、土台連結具の上面よりボルトを通し土台の上面を貫通させナットによって固定することで、複数の土台が接合されるものである。
【発明の効果】
【００２７】
本発明は、設置面に対して土台の左右両脚を嵩上げすることで、土台中央部に隙間ができるため、設置面が略凸状や蒲鉾状であっても、容易に設置が可能となり、図１Ｃに示す従来工法のように、土台を設置するたびに、土台を水平に保つために多くのスペーサー用いて土台の両脚２ｂ'を嵩上げ調整し、このスペース部分（両脚２ｂ'部分）に大量のモルタルを詰める等の作業が不要となり、土台の設置作業が大幅に短縮できる。
【００２８】
本発明の土台の角部には、土台部材の連結と柱部材の立設が可能な柱取付台座が設けられているため、柱を土台に取付けた後に土台の水平度を調整するという面倒な作業が軽減され建屋の施工時間の大幅な短縮につながる。
【００２９】
本発明では、前記柱部材の下部近傍に平型の支持板を設けることで、人手を掛けずに柱取付台座上面に安定した柱を立設することができる。
【００３０】
本発明の天井システムは、天井パネルと、天井照明装置とから構成され、前記天井照明装置と天井パネルは、それぞれ独立して取付可能であるため、天井組立てに際し重量的な負担は分散され、効率よく天井を組立てる事ができる。また、この天井パネルを複数並列するように組合わせて天井を形成することもできる。
【００３１】
複数の土台を互い隣接するように四方に敷設してなる本発明の土台システムは、土台連結具を介して土台を互いに連結するので、同時に複数の土台の連結可能であり、かつこれら連結された土台の水平度は、土台連結具の上面より螺着されるボルトを、垂直にボルト締めして行われるため、同時に複数の土台を調整することができるため、特に容積率の大きい大規模な組立式建屋を施工する場合に、大幅な作業の効率化が図れる。
【発明を実施するための最良の形態】
【００３２】
本発明は、図５に示すような、組立式建屋１００の構造に関するものである。以下、図面を参照して本発明の実施の形態につき詳細に説明する。
【実施例１】
【００３３】
本発明の組立式建屋の土台構造は、図１Ａに示されるように、設置面１に対して複数の土台部材２ａ、２ｂ、２ｃを連結して図１Ｂに示すような区画された囲み領域を有する土台２Ａが形成される。そして、土台２Ａを構成する左右両脚の土台部材２ｂは、他の土台部材２ｃよりも設置面１に対して嵩上げされている（図１Ａ参照）。
【００３４】
このように土台２Ａを形成することで、設置面１の断面形状が略凸状や蒲鉾状であっても、前もって嵩上げされている左右両脚の土台部材２ｂにより土台中央部には隙間ができているため容易に土台２Ａを設置面１に設置することができる。
【００３５】
他方、図１Ｃに示す従来の土台２Ａ'にあっては、土台を設置するたびに、土台を水平に保つために多くのスペーサー用いて土台の両脚２ｂ'を嵩上げ調整し、このスペース部分（両脚２ｂ'部分）に大量のモルタルを詰める等の作業を必要とするため作業効率とコストの面で大きな負担となる。
【００３６】
なお、土台部材左右両脚１ｂの嵩上げ構造の代わりに、図示しないが設置面と土台の高さ調整可能な支持脚を土台下面に設けてもよい。
【実施例２】
【００３７】
次に、土台部材の連結構造について説明する。
【００３８】
図２に示すように、五角形をした平板状の台座３に、扁平状の略直角三角柱をなす中空の柱取付台座４が溶接されている。
【００３９】
この柱取付台座４の外側面４ａには、土台部材２ｄをボルト２ｆにて接合するためのボルト孔４ｃが設けられ、ボルト孔４ｃの内部にはナット４ｄが溶接されている。
【００４０】
一方、土台部材２ｄの端部内側面と前記柱取付台座４の外側面４ａがボルト２ｆにて接合可能なように、土台部材２ｄの端部内側面にはボルト孔２ｅが設けられている。
【００４１】
この土台部材２ｄの端部内側面を、柱取付台座４の外側面４ａに適合させ、土台部材２ｄの外側からボルト孔２ｅ、４ｃにボルト２ｆを挿入し、ナット４ｄにて固定することで、柱取付台座４と土台部材２ｄは接合され土台Ｂの角部を形成する。
【００４２】
なお、実施例２では、柱取付台座４の形状を略直角三角柱としたが、形状はそれに限定されるものではない。例えば、土台部材２ｄを単に直線状に連結する場合には、図示はしないが扁平方形状の柱取付台座を用いてもよい。また土台角部を直角に限定することなく、角部を鈍角または鋭角に設定する場合には、その設定された任意の角度を形成する柱取付台座を用いてもよい。
【実施例３】
【００４３】
次に、土台２Ｂと柱部材５の連結構造について説明する。
【００４４】
図２に示すように柱部材５の下部には、実施例２で示した柱取付台座上面４ｂに立設される平型の支持板６が、柱部材５内側面に溶接されている。
【００４５】
前記支持板６は、柱取付台座４の上面形状と同様五角形に形成されている。
【００４６】
また、支持板６の中央部には、支持板６を柱取付台座上面４ｂに係合させ、ボルト６ａにて両者を固定するためのボルト孔６ｂが設けられ、同様に柱取付台座４の上面中央部にも支持板６のボルト孔６ｂに相対するボルト孔４ｅが設けられ、ボルト孔４ｅの内部にはナット４ｆが溶接されている。
【００４７】
前記支持板６の一辺は、下部固定片６ｃが下側に折り曲げられている。これは柱取付台座４と支持板６をボルト６ａにて固定する際のズレや、柱取付台座４のボルト孔４ｅと支持板６のボルト孔６ｂを素早く適合させるガイド的な役割も果たす。
【００４８】
また、支持板６の端辺には支持板６の剛性を確保するために上部立上片６ｆが上側に折り曲げられている。
【００４９】
更に、前記支持板６には、支持板６と土台部材２ｄをボルト６ｄにて固定するためのボルト孔６ｅが設けられている。また、ボルト孔６ｅに相対する土台部材２ｄにも同様のボルト孔２ｇが設けられ内部にナット２ｈが溶接されている。
【００５０】
このように形成された柱部材５に溶接されている支持板６を、柱取付台座４上面に適合させ、支持板６の上面に設けられているボルト孔６ｂ、６ｅから柱取付台座４と土台部材２ｄに設けられているそれぞれのボルト孔４ｄ、２ｇに、ボルト６ａ、６ｄを挿入しナット２ｈ、４ｆによって固定することで、土台２Ｂと柱取付台座４の上に垂直な柱部材５が立設される。
【実施例４】
【００５１】
次に、組立式建屋の天井システム７について説明する。
【００５２】
本発明の天井システム７は、図３の（ａ）ないし（ｃ）に示すように、天井パネル９と、天井パネル９に取付け取外し可能な天井照明装置８とから構成されている。
【００５３】
天井パネル９は、天井照明装置８が取付け可能なように、略平面形状方形型をした浅い盆状を形成し、その底部９ａには天井照明装置支持台９ｂが設けられている。
【００５４】
また、図３の（ｃ）に示すように、前記天井照明装置８は、天井パネル９に嵌め込み可能なように、略平面形状方形型をした浅い盆状を形成し、また、この盆状に形成した幅広の溝に照明キット１０が天井から突出しないように取付けられている。
【００５５】
ところで、従来の天井システムの構造は、天井を兼ねた発砲パネルの下に、厚みのある天井パネルを突出するように設け、その下側に天井照明器具が取付けられ、これらが一体的に形成されている。
【００５６】
このような重畳的な構造である従来の天井システムは、天井自体の重量が嵩み、天井を設置するにあたって、数人の作業員を動員するなど手間がかるとともに、天井自体に厚みがあるため、天井が低くなり心理的な圧迫感もあった。
【００５７】
しかし、本発明の天井システム７は、図３の（ｃ）に示すように、天井パネル９と、照明キット１０が取付けられた天井照明器具８とがそれぞれが独立しているため、天井を設置するにあたっては、それらを独立して組立てればよく、重量的な負担は分散され、効率よく天井を組立てる事ができる。
【００５８】
また、本発明の天井システム７は、天井パネル９に照明器具等の設置のスペースを設けているため、従来の簡易店舗等の天井構造に比べ薄型形成が可能であり、空間的なゆとりもある。
【００５９】
このような天井システム７を複数並列し組み合わせ天井を構成することで、天井の設置作業に掛かる作業効率は格段に向上し、また天井の高さも、従来の天井構造のものよりも高くなるため、心理的な圧迫感からも開放され、快適な居住空間が達成される。
【実施例５】
【００６０】
次に、土台の連結構造について説明する。
【００６１】
図４Ａに示すように、本発明の土台構造は、土台部材１１ａを接合して区画された囲み領域を有する土台を土台ユニット１１とし、この土台ユニット１１を複数隣接するようにし四方に敷設し、土台連結具１３および土台連結具１４を介して接合することで１つの土台システム１２を構成する。
【００６２】
先ず、四脚１３ａを備える土台連結具１３を用いた、土台ユニット１１の連結構造について述べる。
【００６３】
土台連結具１３は、図４Ｂの（ａ）に示すように、方形状の平板の下面四隅に、凸状の四脚１３ａが備えられており、また、平板の上面から下面にかけて正六面体状のサイコロの４の目状のボルト孔１３ｂが貫通するように設けられている。
【００６４】
これら四脚１３ａやボルト孔１３ｂのそれぞれの間隔は、土台ユニット１１を構成する土台部材１１ａの幅に応じ決定される。
【００６５】
このような土台連結具１３は、４つの土台ユニット１１を四方に隣接するように敷設し、もってそれぞれの土台ユニット１１の四隅を対面させ十字状を形成（図４Ｂの（ｂ）参照）した後、前記土台連結具１３に備わっている凸状の四脚１３ａの間に、十字状に形成された土台部材１１ａの上方向から土台連結具１３で跨嵌し連結する（図４Ｂの（ｃ）および（ｄ）参照）。
【００６６】
土台連結具１３によって連結された土台部材１１ａの上面には、土台連結具１３上面に設けられているボルト孔１３ｂに適合するようにボルト孔１１ｃが設けられており、これらボルト孔１３ｂ、１１ｃにボルト１３ｃを通し、土台ユニット１１のボルト孔１１ｃの内部に溶接されているナット１１ｄによって固定することで土台システム１２が完成する（図４Ｂの（ｄ）および図４Ａの破線円Ａを参照）。
【００６７】
次に、二脚１４ｃを備える土台連結具１４を用いた、土台ユニット１１の連結構造について述べる。
【００６８】
土台連結具１４は、図４Ｃの（ａ）に示すように、方形状の平板の端辺に沿って断面形状が略逆凹字状になるようなニ脚１４ｃが備えられており、また、平板の上面から下面にかけてボルト孔１４ａが貫通するように設けられている。
【００６９】
これらニ脚１４ｃやボルト孔１４ａのそれぞれの間隔は、土台ユニット１１を構成する土台部材１１ａの幅に応じ決定される。
【００７０】
このような土台連結具１４は、図４Ａおよび図４Ｃの（ｂ）に示すように、２つの土台ユニット１１を隣接するように敷設し、前記土台連結具１４のニ脚１４ｃの間に隣接する２つの土台部材１１ａを上方向から跨嵌し連結する（図４Ｃの（ｄ）参照）。
【００７１】
土台連結具１４によって連結された土台部材１１ａの上面には、土台連結具１４上面に設けられているボルト孔１４ａに適合するようにボルト孔１１ｃが設けられており（図４Ｃの（ｂ）参照）、これらボルト孔１４ａ、１１ｃにボルト１４ｂを通し、土台ユニット１１のボルト孔１１ｃの内部に溶接されているナット１１ｄによって固定することで土台システム１２が完成する（図４Ｃの（ｄ）および図４Ａの破線円Ｂを参照）。
【００７２】
以上のように土台ユニット１１を複数連結してなる本発明の土台システム１２は、土台連結具１３，１４を介して土台を互いに連結するので、同時に複数の土台ユニット１１の連結可能であり、かつこれら連結された土台ユニット１１の水平度は、土台連結具１３，１４の上面より螺着されるボルト１３ｃ、１４ｂを、垂直にボルト締めして行われるため、同時に複数の土台ユニット１１を調整することができるため、特に土台面積の大きい大規模な組立式建屋を施工する場合には、大幅な作業の効率化が図れる。
【００７３】
また、各実施例を適宜組み合わせることで、図５に示す組立式建屋１００を構成することができる。
【図面の簡単な説明】
【００７４】
【図１Ａ】本発明の第１の実施例を示す土台構造。
【図１Ｂ】図１Ａの平面図。
【図１Ｃ】従来工法を示す土台構造。
【図２】本発明の第２、第３の実施例を示す土台と柱の連結構造。
【図３】本発明の第４の実施例を示す天井システム。
【図４Ａ】本発明の第５の実施例を示す土台システム。
【図４Ｂ】図４Ａにて示した土台システムにおいて、土台連結具１３を用いた土台連結  構造。
【図４Ｃ】図４Ａにて示した土台システムにおいて、土台連結具１４を用いた土台連結  構造。
【図５】本発明の組立式建屋の全体構成図。
【符号の説明】
【００７５】
１・・・・設置面
２Ａ、２Ａ'、２Ｂ、２Ｃ・・・土台
２ａ、２ａ'、２ｂ、２ｃ、２ｃ'、２ｄ・・・土台部材
２ｂ'・・嵩上げ調整
２ｅ、２ｇ、４ｃ、４ｅ・・・ボルト孔
６ｂ、６ｅ、１１ｃ、１３ｂ、１４ａ・・・ボルト孔
２ｆ、６ａ、６ｄ、１３ｃ、１４ｂ・・・ボルト
２ｈ、４ｄ、４ｆ、１１ｄ・・・ナット
３・・・・台座
４・・・・柱取付台座
４ａ・・・柱取付台座外側面
４ｂ・・・柱取付台座上面
５・・・・柱、柱部材
６・・・・支持板
６ｃ・・・下部固定片
６ｆ・・・上部立上片
７・・・・天井システム
８・・・・天井照明装置
９・・・・天井パネル
９ａ・・・底部
９ｂ・・・天井照明装置支持台
１０・・・・照明キット
１１・・・・土台ユニット
１１ａ・・・土台部材
１２・・・・土台システム
１３、１４・・・土台連結具
１３ａ・・・四脚
１４ｃ・・・二脚
１００・・・組立式建屋の全体構成図
【図１Ａ】
2008007970.tif 000003
【図１Ｂ】
2008007970.tif 000004
【図１Ｃ】
2008007970.tif 000005
【図２】
2008007970.tif 000006
【図３】
2008007970.tif 000007
【図４Ａ】
2008007970.tif 000008
【図４Ｂ】
2008007970.tif 000009
【図４Ｃ】
2008007970.tif 000010
【図５】
2008007970.tif 000011